【手続補正書】
【提出日】平成16年5月17日(2004.5.17)
【手続補正１】
【補正対象書類名】明細書
【補正対象項目名】全文
【補正方法】変更
【補正の内容】
【書類名】        明細書
【発明の名称】    カードリング
【特許請求の範囲】
【請求項１】端部が開口した内リング及び外リングからなり、これら二つのリングは相互の開口部を封鎖すべくリング形状に沿って回動可能に結合されていることを特徴とするカードリング
【請求項２】内リング及び外リングは回動可能な凹凸嵌合により結合されており、内リングに形成された係止突起と外リングに形成された係止溝部との嵌合、又は内リングに形成された係止溝部と外リングに形成された係止突起との嵌合により相互の開口位置を開放した状態で係止可能としたことを特徴とする請求項１に記載のカードリング
【請求項３】内リング及び外リングは回動可能な凹凸嵌合により結合されており、内リングに形成された係止突起と外リングに形成された係止溝部との嵌合、又は内リングに形成された係止溝部と外リングに形成された係止突起との嵌合により相互の開口位置を封鎖した状態で係止可能としたことを特徴とする請求項１または２に記載のカードリング
【発明の詳細な説明】
【０００１】
【発明の属する技術分野】
本発明は、主に暗記等の学習用に使用するカード類や他の各種用途に使用するカード類を多数綴り止めるのに用いられるカードリングに関するものである。
【０００２】
【従来の技術】
従来から、この種のカードリングは多くの考案や発明が成されると共に実施されてきており、最近は特に製作が容易で廉価とすることができる樹脂製の物が多用されている。なお、これらの樹脂製のカードリングは金属製のものと比較し強度や耐久性に劣ることが知られているため、結合を確実とするために各種の改良が成されており、例えば実開昭６１−４７６８１号公報に示されるカードリングにおいては係合する両端部の嵌合形状をより確実となるように改良し、実公昭６２−１２６３４号公報に示されるリングにおいては別体の筒状の継手部材を一方の端部に回動可能に取り付け、該継手部材内に他方の端部を近接させるように挿入した状態で継手部材を回動操作することにより確実に連結する構造が開示されている。
しかしながらこれらのカードリングは、その両端部を直接結合或は近接させて連結する構造のため、カードを装着したり外す際に両端部を指の力で強制的に広げて保持しなければならない不便さがあり、連結操作も注意して行わなければならない不都合も生じていた。
なお、従来からカードリングの着脱用の開口部をヒンジ構造の開口封鎖部材で引っかけて止めるタイプのカードリングも知られており、この場合は開口状態を指の力で維持する必要はないものの、開口封鎖部材の着脱操作がしにくく、しかもカードリングから突出するため、カードリングを装着したり外す際に指等に引っかかったりして邪魔になる不都合を具備していた。
【０００３】
【発明が解決しようとする課題】
そこで、本発明はこれらの不都合を解消すべく、カードの装着や取り外しの操作がカードリングを指の力で強制的に開いて維持したり開口封鎖部材をカードリングから突出させることなくスムーズに行え、両端部の結合も確実に行うことができるカードリングを提供することを目的とする。
【０００４】
【課題を解決するための手段】
課題を解決するために鋭意検討した結果、本発明はカードリング形状に沿った回動操作を基本に考えればこれらの課題を解決可能であることを究明したものであり、端部が開口した内リング及び外リングからなり、これら二つのリングは相互の開口部を封鎖すべくリング形状に沿って回動可能に結合されているカードリングを想到するに至った。
この構成によれば、カードを装着あるいは取り外す際の操作が、カードリングを指の力で無理に開いたり開口封鎖用の部材をカードリングから突出させること無く、カードリング内でスムーズに行うことができる。
これらの内リング及び外リングは回動可能な凹凸嵌合により結合されており、内リングに形成された係止突起と外リングに形成された係止溝部との嵌合、又は内リングに形成された係止溝部と外リングに形成された係止突起との嵌合により相互の開口位置を開放した状態で係止可能な構成とすれば、リング形状が持つ特性を有効に利用して両部材の結合及び回動ガイドを簡単且つ確実に構成することができると共に、開口位置を開放した状態での係止も連動した回動操作の一環としてスムーズに且つ簡単な構成でありながら確実に行うことができる。また、開口状態がリング部材間で確実に維持できるため、開口を維持するために指の力を要することはなく、さらに、開口の封鎖部材を外部に突出させることもないのでカードの装着や取り外しを簡単に行うことができる。
また、内リング及び外リングは回動可能な凹凸嵌合により結合されており、内リングに形成された係止突起と外リングに形成された係止溝部との嵌合、又は内リングに形成された係止溝部と外リングに形成された係止突起との嵌合により相互の開口位置を封鎖した状態で係止可能な構成とすれば、上述の開口維持同様に開口位置の封鎖状態の維持を簡単な構成でありながら簡単な操作で確実に行うことができる。
【０００５】
【発明実施の形態】
本発明におけるカードリングは、開口部を有する内リング及び外リングで構成され、これら二つのリングは相互の開口部を封鎖すべくリング形状に沿って回動可能に結合されており、内リングの開口部と外リングの開口部を一致させればカードリングへのカードの装着及び取り出しが可能となり、内リング及び外リングを相対的に回動すれば開口部が封鎖されることを特徴とするものであり、以下原理構造である第１の実施例に基づき詳細に説明する。
【０００６】
図１（ａ）〜（ｃ）は第１の実施例を示す。
本実施例におけるカードリング１は、図１（ａ）の平面図に示すように約５ｍｍ程度の開口部４を有する外径約２８ｍｍ，内径約２０ｍｍ，断面直径約４ｍｍの切り欠き付きの円形リングであって、合成樹脂製の円形の内リング２及び外リング３にて構成され、図１（ｂ）のＡ−Ａ拡大断面図に表すように内リング２は、断面が半円状に形成されると共に外周面には凹状部５が全周に設けられ、外リング３は断面が半円状に形成されると共に内周面には凸状部６が全周或は断続状に設けられていて、両者が強制嵌合により組み合わさった時に断面形状が略円形となる状態で任意の位置まで回動可能に結合されている。（図１（ｃ）参照）
なお両リングの結合部は、開口位置や閉鎖状態を維持しやすいように若干摩擦抵抗が起こりやすいような表面状態や、寸法設定するのが好ましい。
また、本実施例における上記内リング２に設けた凹状部５及び外リング３に設けた凸状部６は、それぞれ対向する部材側に設けて逆の嵌合構造としても良く、材料も合成樹脂に限らず適宜の材料で実施することができる。
【０００７】
このカードリング１にカードＫを取り付ける手順は図２（ａ）〜（ｄ）に示すように、先ず、内リング２の開口部４ａと外リング３の開口部４ｂを一致させた状態で、複数に重ねたカードＫの先端部を挿入する。（（ａ）参照）
次に、カードリング１の露出している両リングが結合した端面へ、カードＫに形成された取り付け孔Ｄを通して、カードＫをカードリング１に収納していく。多数のカードを収納する場合は同様な手順を繰り返し行う。（（ｂ）参照）
所定量のカードＫを収納した状態で（ｃ）に示すように指Ｆで内リングを回動させる等して内リング２と外リング３を相対的に回動させれば、夫々の開口部４ａ，４ｂの位置がずれることにより、開口部は封鎖されカードが取り出し不能に収納される。（（ｄ）参照）
なお、本実施例においては開口部４を下方に位置するように表しているが、これは本実施例を含む各実施例の説明を統一しやすくするための措置であって、実際は操作しやすい適宜な位置で行うことが好ましい。
また、カードの取り出しは上記手順の反対に行えば良い。
【０００８】
本実施例によれば、内リング２と外リング３の開口部を合わすだけで、カードの装着が可能となり、内リング２と外リング３を相対的に回動するだけで開口部４は閉鎖するので、操作が簡単で確実にカードの収納ができる。
【０００９】
図３〜図７は、本発明の第２の実施例を示す。
本実施例は、第１の実施例における内リング及び外リング間に係止構造を取り入れたことを特徴とするものであり、カードリング１１は図３（ａ）の平面図に示すように開口部１４を有する内リング１２及び外リング１３で構成される。
内リング１２は、図４（ａ）で表す平面図のＤ−Ｄ断面図である図４（ｂ）に示すように断面略半円形状であって外周面には全周に凹状部１５が形成されており、該凹状部１５の中間にはＥ−Ｅ断面図である図４（ｃ）に示すように開口部１４ａとの対称位置に半円状の係止突起１７が形成されている。
なお、開口部１４ａの近傍には図５のように凹凸状の滑り止め１８，１８を設けると回動操作がしやすくなる。この滑り止めは、本形状に限らず、単にシボ状としたり、格子状凹凸とする等適宜の形状で実施しても良い。
外リング１３は、図６（ａ）の拡大平面図及びＦ−Ｆ断面図である図６（ｂ）に示されるように、断面は略半円形状でありその内周面には凸状部１６，１６が形成される。そして、その中間部には開口部１４ｂの対称位置に開口位置用の係止溝部１９ａが設定され、所定角度α（本実施例では５０°）振った位置には、左右に封鎖位置用の係止溝部１９ｂ，１９ｃが設定されている。なお、各係止溝間には後述する上記内リング１２の係止突起１７が回動した際の逃げ部２０，２０’が設けられており、該逃げ部２０，２０’と各係止溝部との境界はリブ２０ａ，２０ｂ，２０ｃ，２０ｄで仕切られている。これらのリブは各係止溝部の位置決めの役割と、上記内リング１２の係止突起１７が各係止溝部に係止される際に乗り越えてクリック感触を与える役割を兼ねており、半円形や適度のコーナーアールを有する角状の突起が用いられる。
【００１０】
内リング１２と外リング１３を取り付けるには、内リング１２に設けられた係止突起１７が外リングに設けられた各係止溝部１９ａ,１９ｂ,１９ｃ及び逃げ部２０，２０の何れかに合う状態で、図３（ａ）のＢ−Ｂ拡大断面図である図３（ｂ）に示すように、内リング１２の凹状部１５に外リング１３の凸状部１６を強制的に嵌め込む。ここで、内リング１２と外リング１３の各開口部１４ａ，１４ｂが一致して取り付けられたとすると、図３（ｃ）に示す状態となる。即ち、内リング１２の係止突起１７は外リング１３の開口位置用の係止溝部１９ａに嵌合した状態で回転方向の係止がなされている。
この状態で内リング１２を時計廻り方向に回転させると、その係止突起１７は外リング１３のリブ２０ｃを乗り越え、逃げ部２０を移動し、さらにリブ２０ｄを乗り越えて封鎖位置用の係止溝部１９ｂに至ると共に凸状部１６の端面に当接して回動が停止する。（図７（ａ）参照）
この位置において内リング１２の開口部１４ａは、外リング１３の開口部１４ｂを通り過ぎているためカードリング１１の開口部１４は封鎖される。また、上記係止突起１７はリブ２０ｄにより逆戻りが阻止されているため、自動的に戻ることは無く封鎖状態が維持される。
また、内リング１２を反時計廻り方向に回動させると、時計廻りと同様な過程を経て図７（ｂ）に示すように係止突起１７はリブ２０ａ及び凸状部１６の端面で形成された封鎖位置用の係止溝部１９ｃに逆戻りが阻止された状態で維持され開口１４が封鎖される。
これらの回動操作においては、係止突起１７が各リブ２０ａ，２０ｂ，２０ｃ，２０ｄを乗り越える際にクリック感触が生じるため、使用者は視覚と共に感触によって容易に位置状態を認識することができる。
【００１１】
本実施例においては、開口位置を合わせた状態で内リング１２及び外リング１３の回動を係止可能となっているので開口状態が安定しており、カード等の装着や取り外しがしやすく、また封鎖位置においても各リングが逆戻りしないように係止されているのでカードの装着状態が確実に維持できる。
なお、本実施例は開口位置及び封鎖位置でいずれも両リングの係止が可能となっているが必要によって開口位置のみの係止構造及び封鎖位置のみでの係止構造としても良い。その場合は、外リング１３における各リブのうち前者は２０ａ及び２０ｄを削除し、後者は２０ｂ及び２０ｃを削除すれば可能となる。
この場合は、係止突起１７や各リブの磨耗が少なくなると共に係止位置が明確となる利点がある。
また、本実施例においては、係止突起１７及び開口位置用の係止溝部１９ａを各リングの開口部の対称位置に設けたが、そこからずれた位置に設けても問題がなく、図８（ａ）及びそのＧ−Ｇ拡大断面である（ｂ）に示すように本実施例とは異なり外リング１３’に凹状部１５’及び係止突起１７’を設けて内リング１２’もそれに対応させ、内リング１２’及び外リング１３’の各嵌合関係を本実施例と逆に設定しても実施することができる。
【００１２】
図９〜図１２は第３の実施例を示す。
この実施例は、第２の実施例における係止突起及び係止溝部をカードリングの開口部近傍に設置したこと及び係止突起及び係止溝部を夫々２箇所に設けたことを特徴とするものである。
カードリング２１は、図９（ａ）の平面図に示すように開口部２４を有する内リング２２及び外リング２３で構成され、見かけ上はこれまでの実施例と変わらないがＨ−Ｈ拡大断面図である図９（ｂ）及びＩ−Ｉ断面図である図９（ｃ）に表されるように係止構造が開口部２４近傍に設けられている。
即ち、外リング２３は、図１０（ａ）の平面図及びＪ−Ｊ断面図の図１０（ｂ）及びＫ−Ｋ断面図の図１０（ｃ）に表されるように、開口部２４ｂを有する円形リング状であって、断面は略半円形で、内周面には全周に凹状部２５が形成されており、該凹状部２５における開口部２４ｂ近傍に所定角度β（本実施例では２６°）の位置に係止突起２７ａ，２７ｂが形成されている。
また、内リング２２は、図１１（ａ）の拡大平面図及び図１１（ｂ）の拡大正面図及びＬ−Ｌ断面図である図１１（ｃ）に表されるように、開口部２４ａを有する円形リング状であって、断面は略半円形で、外周面には後述する逃げ部３０，３０’間の全周に凸状部２６が形成されており、開口部２４ａ近傍の所定角度βの位置に、上記外リング２３の係止突起２７ａ、２７ｂが嵌合する係止溝部２９ａ，２９ｂが設定されている。なお、係止溝部２９ａ，２９ｂの外側には後述する外リング２３内を回動したとき、外リング２３の係止突起２７ａ又は２７ｂの回動の弊害とならないような逃げ部３０，３０’が設定されており、上記係止溝部２９ａ，２９ｂと該逃げ部３０，３０’の境界部及び係止溝部２９ａ，２９ｂと開口部２４ａ間に第２の実施例で述べたのと同様な作用効果をもつリブ３０ａ，３０ｂ，３０ｃ，３０ｄが形成されている。
【００１３】
そして、内リング２２及び外リング２３を図９（ｂ）に示すように強制嵌めにて取り付け各開口部を合わせると、図９（ｃ）に表すように外リング２３の係止突起２７ａ及び２７ｂは、内リング２２のリブ３０ａと３０ｂ間に形成された係止溝部２９ａ及びリブ３０ｃとリブ３０ｄ間に形成された係止溝部２９ｂに回動を阻止された状態で維持される。
この状態で内リング２２を時計廻り方向に回動させると、最初に内リング２２のリブ３０ｂと３０ｄが、外リング２３に設けられた係止突起２７ａ及び２７ｂを乗り越え、更に回動させると図１２（ａ）に示すように内リングのリブ３０ｃが外リング２３の係止突起２７ａを乗り越えて係止溝部２９ｂに至り、更に、該外リング２３の係止突起２７ａに内リングのリブ３０ｄが当接すると共にもう一つの係止突起２７ｂに内リング２２の凸状部２６の端部が当接して回動が停止する。この状態は、内リング２２が外リング２３の開口部２４ｂを内側から覆い、しかも内リング２２のリブ３０ｃが外リング２３の係止突起２７ａによって逆方向の回動を阻止されているため、カードリングの封鎖状態を維持することができる。
また、内リング２２を反時計廻り方向に回動させた場合も時計廻りと同様な過程を経て、図１２（ｂ）に示すように内リング２２は、外リング２３の開口部２４ｂを封鎖した状態で、その係止溝部２９ａが外リング２３の係止突起２７ｂに嵌合して逆回動しないように維持される。
なお、本実施例においても図１３（ａ）及びＭ−Ｍ拡大断面図である図１３（ｂ）に示すように、内リング２２’に凹状部２５’を有する断面形状とすると共に係止突起２７ａ’及び２７ｂ’を形成し、外リング２３’をそれに対応させて、内リング２２’と外リング２３’の嵌合関係を本実施例と逆に設定しても実施することができる。
【００１４】
本発明は、上記実施例に限らず各種の変形をさせての実施が可能である。例えば第２の実施例においては開口部と対称位置に係止突起及び係止溝部を形成したがこの係止構造を開口部近傍に設けたり、第３の実施例における係止突起及び係止溝部を開口部との対称位置に設けることも可能である。
また、内リングと外リングを嵌め合わせた断面形状は、本実施例ような円形以外の形状で実施しても良い。
また、第２の実施例に示した滑り止め（図５における１８等）は、他の実施例に用いることができる。
なお、本実施例は比較的小型のカード類に適応するようになっているが、比較的大型のカードやプレート類に用いても良いのは言うまでもなく、各リングは断面形状に寸法的余裕があれば１部材で無く複数部材で構成して実施しても良い。その場合は、内リング及び外リングの取り付けは、回動可能であれば適宜の位置及び構造で実施することができるし、係止構造も変形して実施しても良い。
【００１５】
【発明の効果】
本発明は、端部が開口した内リング及び外リングを相互の開口部を封鎖すべくリング形状に沿って回動可能に結合する構成としたので、カードの装着や取り外しの操作がカードリングを指の力で強制的に開いて維持したり開口封鎖部材をカードリングから突出させることなくスムーズに行え、更にカードリングの開口部も確実に閉鎖することができる利点がある。
なお、開口位置及び閉鎖位置で係止できる構造を搭載した場合は、係止位置の認識がしやすくなると共に係止状態をより安定したものとすることができる。
【図面の簡単な説明】
【図１】
本発明による第１の実施例を表す略図であり、（ａ）は開口状態の平面図、（ｂ）はＡ−Ａ拡大断面図、（ｃ）は開口部の封鎖状態の平面図を示す。
【図２】
本発明による第１の実施例における操作手順を表す略図であり、（ａ）はカード挿入時、（ｂ）は装着状態、（ｃ）は開口部閉鎖の操作、（ｄ）は開口部閉鎖状態を示す。
【図３】
本発明による第２の実施例を表す略図であり、（ａ）は開口状態の平面図、（ｂ）はＢ−Ｂ拡大断面図、（ｃ）はＣ−Ｃ断面図を示す。
【図４】
本発明による第２の実施例における内リングを表す略図であり、（ａ）は平面図、（ｂ）はＤ−Ｄ断面図、（ｃ）はＥ−Ｅ断面図を示す。
【図５】
本発明による第２の実施例における開口部近傍の変形例を表す拡大平面図を示す。
【図６】
本発明による第２の実施例における外リングを表す略図であり、（ａ）は拡大平面図、（ｂ）はＦ−Ｆ断面図を示す。
【図７】
本発明による第２の実施例におけるカードリングの開口部の閉鎖状態を表す中央拡大断面図であり、（ａ）は時計廻り回動状態、（ｂ）は反時計廻り回動状態を示す。
【図８】
本発明による第２の実施例における変形例を表す略図であり、（ａ）は中央拡大断面図、（ｂ）はＧ−Ｇ拡大断面図を示す。
【図９】
本発明による第３の実施例を表す略図であり、（ａ）は開口状態の平面図、（ｂ）はＨ−Ｈ拡大断面図、（ｃ）はＩ−Ｉ断面図を示す。
【図１０】
本発明による第３の実施例における外リングを表す略図であり、（ａ）は平面図、（ｂ）はＪ−Ｊ断面図、（ｃ）はＫ−Ｋ断面図を示す。
【図１１】
本発明による第３の実施例における内リングを表す略図であり、（ａ）は拡大平面図、（ｂ）は拡大正面図、（ｃ）はＬ−Ｌ断面図を示す。
【図１２】
本発明による第３の実施例におけるカードリングの開口部の閉鎖状態を表す中央拡大断面図であり、（ａ）は時計廻り回動状態、（ｂ）は反時計廻り回動状態を示す。
【図１３】
本発明による第３の実施例における変形例を表す略図であり、（ａ）は中央拡大断面図、（ｂ）はＭ−Ｍ拡大断面図を示す。
【符号の説明】
Ｋ  カード
Ｄ  取り付け孔
Ｆ  指
α  所定角度
β  所定角度
１、１１、２１  カードリング
２、１２、１２’、２２、２２’  内リング
３、１３、１３’、２３、２３’  外リング
４、４ａ、４ｂ、１４、１４ａ、１４ｂ、２４、２４ａ、２４ｂ  開口部
５、１５、１５’、２５、２５’  凹状部
６、１６、２６  凸状部
１７、１７’、２７ａ、２７ａ’、２７ｂ、２７ｂ’  係止突起
１８  滑り止め
１９ａ、１９ｂ、１９ｃ、２９ａ、２９ｂ  係止溝部
２０、２０’  逃げ部
２０ａ、２０ｂ、２０ｃ、２０ｄ  リブ
３０、３０’  逃げ部
３０ａ、３０ｂ、３０ｃ、３０ｄ  リブ